(57)【要約】【課題】容器に収納された物が、液体などを切った状態で簡単にとり取り出すことが可能となる容器を提供すること。【解決手段】  上下の少なくとも一方の端部に開口を有する容器本体２０と、容器本体２０内の上下方向の中途部に位置して上下に分割するように仕切ると共に漬け液等の流動の可能な物が上下方向に流通可能に設けられた仕切部材３０と、容器本体２０の開口２９を密封する蓋２５とを備え、反転しても安定的に置くことが可能に上下の端部が設けられた食品容器１０において、仕切部材３０は容器本体２０内へ上下方向にスライドさせて挿入及び取出し自在に設けられ、仕切部材３０を容器本体２０内の所定高さに位置されるように支持する支持手段５０が設けられている。【選択図】  図１
2006199372.tif 000002
【特許請求の範囲】
【請求項１】
上下の少なくとも一方の端部に開口を有する容器本体と、該容器本体内の上下方向の中途部に位置して上下に分割するように仕切ると共に液体等の流動の可能な物が上下方向に流通可能に設けられた仕切部材と、前記容器本体の開口を密封する蓋とを備える容器であって、
前記仕切部材は、前記容器本体内へ上下方向にスライドさせて挿入及び取出し自在に設けられ、容器本体内の所定高さに位置されるように支持手段によって支持されていることを特徴とする容器。
【請求項２】
上下の少なくとも一方の端部に開口を有する容器本体と、該容器本体内の上下方向の中途部に位置して上下に分割するように仕切ると共に液体等の流動の可能な物が上下方向に流通可能に設けられた仕切部材と、前記容器本体の開口を密封する蓋とを備える容器であって、
前記仕切部材は、前記容器本体内へ挿入され、容器本体内の所定高さに位置されるように固定手段によって固定されていることを特徴とする容器。
【請求項３】
前記支持手段は、前記仕切部材に実質的に上下方向へ延びる状態に設けられ、少なくとも一つの先端部が前記容器本体の内底面又は蓋の内面に当接することで仕切部材を支持する支持部材であることを特徴とする請求項１記載の容器。
【請求項４】
前記支持手段は、前記容器本体内で前記仕切部材の上下に延びると共に前記仕切部材の実質的に中央部に設けられた貫通孔に上下方向へ相対的にスライド可能に挿通された棒状部材と、該棒状部材の中途部に設けられ仕切部材が容器本体の内底面側へ所定以上移動することを阻止する係止部とを具備し、前記棒状部材の一端側が仕切部材をつまみ上げるための把持棒部であり、該棒状部材の他端側が先端部で容器本体の内底面に当接して仕切部材を支持する支持棒部であることを特徴とする請求項１記載の容器。
【請求項５】
前記仕切部材の外縁に、少なくとも実質的に上下方向に延び、前記容器本体の内側面に沿ってスライドさせて挿入等される仕切部材の上下移動を安定化させる外縁ガイド部が設けられていることを特徴とする請求項１、２、３又は４記載の容器。
【請求項６】
前記仕切部材には、容器内に収納された固形状物が上下に移動可能に、所定の大きさ以上の開口部分が設けられていることを特徴とする請求項１、２、３、４又は５記載の容器。
【請求項７】
前記開口部分を開閉する開閉部材を具備することを特徴とする請求項６記載の容器。
【請求項８】
上下の少なくとも一方の端部に開口を有する容器本体と、該容器本体内の上下方向の中途部に位置して上下に分割するように仕切ると共に液体等の流動の可能な物が上下方向に流通可能に設けられた仕切部材と、前記容器本体の開口を密封する蓋とを備える食品容器であって、
前記仕切部材は、前記容器本体内へ上下方向にスライドさせて挿入及び取出し自在に設けられ、容器本体内の所定高さに位置されるように支持手段によって支持されていると共に、前記容器本体内で上下方向へ移動可能に設けられ、該仕切部材によって上下に仕切られた容器本体内の内底側に漬物用おもりが上下方向へ移動可能に配されたことを特徴とする食品容器。
【請求項９】
前記支持手段は、前記容器本体内で前記仕切部材の上下に延びると共に前記仕切部材及び前記漬物用おもりの実質的に中央部に設けられた貫通孔に上下方向へ相対的にスライド可能に挿通された棒状部材と、該棒状部材の中途部に設けられ漬物用おもりの上下方向の移動を許容するが仕切部材の漬物用おもり側への所定以上の移動を阻止する係止部とを具備し、前記棒状部材の一端側が仕切部材をつまみ上げるための把持棒部であり、該棒状部材の他端側が先端部で容器本体の内底面に当接して仕切部材を支持する支持棒部であることを特徴とする請求項８記載の食品容器。
【請求項１０】
前記仕切部材が上下方向に伸縮可能な蛇腹構造の有底容器であって、該有底容器の底部が前記容器本体内を上下に仕切る部分となっていることを特徴とする請求項８記載の食品容器。
【請求項１１】
上部に開口を有する容器本体と、該容器本体の開口を閉じる蓋とを備える容器であって、
前記容器本体内の上下方向の中途部に、容器内に収納された物の上下の移動を制限しない開口部分を残しつつ、容器内を上下に分割するように仕切ることで該容器内に収納された物の上下の移動を制限すると共に容器内に収納された固形状物が載ることができる仕切部が設けられたことを特徴とする容器。
【請求項１２】
前記容器本体は、底部を有する下側本体の上に、上下が開口された上側本体が重ねられて一体化されることで構成され、
前記下側本体には上部に前記仕切部が設けられ、前記上側本体の上部の開口は前記蓋によって閉じられることを特徴とする請求項１１記載の容器。
【請求項１３】
前記上側本体が前記下側本体に対して着脱可能に設けられ、前記仕切部の開口部分は開封されることで形成される透孔であることを特徴とする請求項１２記載の容器。
【請求項１４】
前記下側本体と前記上側本体との間がシールされ、前記上側本体の上部の開口は前記蓋によって密封されることを特徴とする請求項１２又は１３記載の容器。
【請求項１５】
前記容器本体の開口が、容器本体の上部の側部に設けられていることを特徴とする請求項１１、１２、１３又は１４記載の容器。
【請求項１６】
容器本体の上部に設けられた開口の上に重ねて取り付けられ、前記容器本体に収納された物の少なくとも一部を移すことのできる容積を備えると共に上部が開口された重ね本体を有し、前記容器本体と一体化して一つの容器を形成する重ね容器であって、
前記重ね本体には、前記容器本体の開口に連結される連結部が設けられると共に、前記容器本体に取り付けられた際に、容器内に収納された物の上下の移動を制限しない開口部分を残しつつ、容器内を上下に分割するように仕切ることで該容器内に収納された物の上下の移動を制限すると共に容器内に収納された固形状物が載ることができる仕切部が設けられ、
且つ前記重ね本体の開口を閉じる蓋を備えることを特徴とする重ね容器。
【請求項１７】
前記重ね本体の連結部は前記容器本体との間でシール可能に設けられ、前記重ね本体の開口は前記蓋によって密封されることを特徴とする請求項１６記載の重ね容器。
【請求項１８】
請求項１６又は１７記載の重ね容器が、容器本体の上部に設けられた開口の上に重ねて取り付けられたことを特徴とする容器。
【請求項１９】
前記開口部分を開閉する開閉部材を具備することを特徴とする請求項１１、１２、１３、１４、１５又は１８記載の容器。
【請求項２０】
上部に開口を有する容器本体と、該容器本体の開口を閉じる蓋とを備える容器であって、
前記容器本体内の上下方向の中途部に、容器内に収納された収納物を載せることができる棚部が設けられたことを特徴とする容器。
【請求項２１】
前記棚部が、前記収納物のうち所定の大きさ以下の物が好適に落下できるように線状の棚用部材によって形成されていることを特徴とする請求項２０記載の容器。
【請求項２２】
前記線状の棚用部材が、前記収納物の形状に対応してリング状に形成されていることを特徴とする請求項２１記載の容器。
【請求項２３】
前記棚部が、前記容器本体内の上下方向の中途部で且つ開口寄りに設けられたことを特徴とする請求項２０、２１又は２２記載の容器。
【請求項２４】
前記棚部の上面には、該棚部に載った収納物の転落を防止すべく、凹部、凸部又は貫通孔のうち少なくともいずれかの一から成る転落防止部を備えることを特徴とする請求項２０、２１、２２又は２３記載の容器。
【請求項２５】
前記棚部の上面には、該棚部に載った収納物が整列をすべく、平行に配列された複数の筋条、凹部、凸部又は貫通孔のうち少なくともいずれかの一から成る整列部を備えることを特徴とする請求項２０、２１、２２、２３又は２４記載の容器。
【発明の詳細な説明】
【技術分野】
【０００１】
本発明は、容器及び食品容器に関する。
【背景技術】
【０００２】
漬物用などの食品用のものをはじめとして容器は、一般的に、上面が開口した有底の容器本体と、その開口を塞ぐ蓋を有する。
また、食品の塩漬けをする際などには、野菜などの上に必要に応じておもり（以下、「重石」ともいう）を載置する。その漬物を取り出す際には、当然ながら先に重石を取り出す必要がある。また、その後に漬物を取り出すときには、通常、手作業でその漬物の水（漬け液）を切って、食器に盛りつけるなどしている。
【０００３】
また、ピクルスのように、重石を用いない漬物の場合は、漬物用の液に野菜や果実を単純に漬け込むことになる。なお、この場合の容器は、一般的に容器本体の開口を蓋で密閉する構造となっている。また、野菜を瓶詰め状態で保存する場合も容器本体の開口を蓋で密閉する。
そして、漬けあがったピクルスを取り出す際などには、通常、箸やフォークなどの食器を用いて引き上げる。その度ごとに、箸やフォークなどは、容器本体内の液の中に浸かる状態になりやすい。
【０００４】
ところで、野菜などを短時間でよく漬けるために、引っ繰り返すことを特徴とする食品収納容器が提案されている（特許文献１参照）。
その食品収納容器は、両端を開口した筒体と、その筒体の両端の開口をそれぞれ密封する蓋と、その各蓋に設けた支持脚とで構成される。また、前記筒体の中に複数の孔が設けられた仕切板を入れた場合、二種類の食品を混じり合うことなく漬けることができる。
【特許文献１】登録新案第３０１８４１８号公報（第１頁及び第３図）
【発明の開示】
【発明が解決しようとする課題】
【０００５】
容器及び食品容器に関して解決しようとする問題点は、例えば、液体等の流動の可能な物に浸かった被収納物を容器内から取り出す際に、その液体等を手作業によって切る必要があり、面倒な点にある。また、食品などの被収容物を取り出す度に、箸やフォークなどの取り出し用の器具が容器内の液などの中に浸かる状態となると、特に食品の場合は衛生的でないという問題点もある。さらに、容器内から適当な量の被収納物を好適に取り出せないという問題点もある。
そこで本発明の目的は、容器内に収納された物（被収納物）を、好適に取り出すことが可能となる容器等を提供することにある。
【課題を解決するための手段】
【０００６】
本発明は、上記目的を達成するために次の構成を備える。
本発明にかかる容器の一形態によれば、上下の少なくとも一方の端部に開口を有する容器本体と、該容器本体内の上下方向の中途部に位置して上下に分割するように仕切ると共に液体等の流動の可能な物が上下方向に流通可能に設けられた仕切部材と、前記容器本体の開口を密封する蓋とを備える容器であって、前記仕切部材は、前記容器本体内へ上下方向にスライドさせて挿入及び取出し自在に設けられ、容器本体内の所定高さに位置されるように支持手段によって支持されていることを特徴とすることができる。
【０００７】
また、本発明にかかる容器の一形態によれば、上下の少なくとも一方の端部に開口を有する容器本体と、該容器本体内の上下方向の中途部に位置して上下に分割するように仕切ると共に液体等の流動の可能な物が上下方向に流通可能に設けられた仕切部材と、前記容器本体の開口を密封する蓋とを備える容器であって、前記仕切部材は、前記容器本体内へ挿入され、容器本体内の所定高さに位置されるように固定手段によって固定されていることを特徴とすることができる。
【０００８】
また、本発明にかかる容器の一形態によれば、前記支持手段は、前記仕切部材に実質的に上下方向へ延びる状態に設けられ、少なくとも一つの先端部が前記容器本体の内底面又は蓋の内面に当接することで仕切部材を支持する支持部材であることを特徴とすることができる。
また、本発明にかかる容器の一形態によれば、前記支持手段は、前記容器本体内で前記仕切部材の上下に延びると共に前記仕切部材の実質的に中央部に設けられた貫通孔に上下方向へ相対的にスライド可能に挿通された棒状部材と、該棒状部材の中途部に設けられ仕切部材が容器本体の内底面側へ所定以上移動することを阻止する係止部とを具備し、前記棒状部材の一端側が仕切部材をつまみ上げるための把持棒部であり、該棒状部材の他端側が先端部で容器本体の内底面に当接して仕切部材を支持する支持棒部であることを特徴とすることができる。
また、本発明にかかる容器の一形態によれば、前記仕切部材の外縁に、少なくとも実質的に上下方向に延び、前記容器本体の内側面に沿ってスライドさせて挿入等される仕切部材の上下移動を安定化させる外縁ガイド部が設けられていることを特徴とすることができる。
【０００９】
また、本発明にかかる容器の一形態によれば、前記仕切部材には、容器内に収納された固形状物が上下に移動可能に、所定の大きさ以上の開口部分が設けられていることを特徴とすることができる。
また、本発明にかかる容器の一形態によれば、前記開口部分を開閉する開閉部材を具備することを特徴とすることができる。
【００１０】
また、本発明にかかる食品容器の一形態によれば、上下の少なくとも一方の端部に開口を有する容器本体と、該容器本体内の上下方向の中途部に位置して上下に分割するように仕切ると共に液体等の流動の可能な物が上下方向に流通可能に設けられた仕切部材と、前記容器本体の開口を密封する蓋とを備える食品容器において、前記仕切部材は、前記容器本体内へ上下方向にスライドさせて挿入及び取出し自在に設けられ、容器本体内の所定高さに位置されるように支持手段によって支持されていると共に、前記容器本体内で上下方向へ移動可能に設けられ、該仕切部材によって上下に仕切られた容器本体内の内底側に漬物用おもりが上下方向へ移動可能に配されたことを特徴とすることができる。
また、本発明にかかる食品容器の一形態によれば、前記支持手段は、前記容器本体内で前記仕切部材の上下に延びると共に前記仕切部材及び前記漬物用おもりの実質的に中央部に設けられた貫通孔に上下方向へ相対的にスライド可能に挿通された棒状部材と、該棒状部材の中途部に設けられ漬物用おもりの上下方向の移動を許容するが仕切部材の漬物用おもり側への所定以上の移動を阻止する係止部とを具備し、前記棒状部材の一端側が仕切部材をつまみ上げるための把持棒部であり、該棒状部材の他端側が先端部で容器本体の内底面に当接して仕切部材を支持する支持棒部であることを特徴とすることができる。
また、本発明にかかる食品容器の一形態によれば、前記仕切部材が上下方向に伸縮可能な蛇腹構造の有底容器であって、該有底容器の底部が前記容器本体内を上下に仕切る部分となっていることを特徴とすることができる。
【００１１】
また、本発明にかかる容器の一形態によれば、上部に開口を有する容器本体と、該容器本体の開口を閉じる蓋とを備える容器において、前記容器本体内の上下方向の中途部に、容器内に収納された物の上下の移動を制限しない開口部分を有しつつ、容器内を上下に分割するように仕切ることで該容器内に収納された物の上下の移動を制限すると共に容器内に収納された固形状物が載ることができる仕切部が設けられたことを特徴とすることができる。
【００１２】
また、本発明にかかる容器の一形態によれば、前記容器本体は、底部を有する下側本体の上に、上下が開口された上側本体が重ねられて一体化されることで構成され、前記下側本体には上部に前記仕切部が設けられ、前記上側本体の上部の開口は前記蓋によって閉じられることを特徴とすることができる。
また、本発明にかかる容器の一形態によれば、前記上側本体が前記下側本体に対して着脱可能に設けられ、前記仕切部の開口部分は開封されることで形成される透孔であることを特徴とすることができる。
また、本発明にかかる容器の一形態によれば、前記下側本体と前記上側本体との間がシールされ、前記上側本体の上部の開口は前記蓋によって密封されることを特徴とすることができる。
また、本発明にかかる容器の一形態によれば、前記容器本体の開口が、容器本体の上部の側部に設けられていることを特徴とすることができる。
【００１３】
また、本発明にかかる重ね容器の一形態によれば、容器本体の上部に設けられた開口の上に重ねて取り付けられ、前記容器本体に収納された物の少なくとも一部を移すことのできる容積を備えると共に上部が開口された重ね本体を有し、前記容器本体と一体化して一つの容器を形成する重ね容器であって、前記重ね本体には、前記容器本体の開口に連結される連結部が設けられると共に、前記容器本体に取り付けられた際に、容器内に収納された物の上下の移動を制限しない開口部分を有しつつ、容器内を上下に分割するように仕切ることで該容器内に収納された物の上下の移動を制限すると共に容器内に収納された固形状物が載ることができる仕切部が設けられ、且つ前記重ね本体の開口を閉じる蓋を備えることを特徴とすることができる。
【００１４】
また、本発明にかかる重ね容器の一形態によれば、前記重ね本体の連結部は前記容器本体との間でシール可能に設けられ、前記重ね本体の開口は前記蓋によって密封されることを特徴とすることができる。
また、本発明にかかる容器の一形態によれば、前記重ね容器が、容器本体の上部に設けられた開口の上に重ねて取り付けられたことを特徴とすることができる。
また、本発明にかかる容器の一形態によれば、前記開口部分を開閉する開閉部材を具備することを特徴とすることができる。
【００１５】
また、本発明にかかる容器の一形態によれば、上部に開口を有する容器本体と、該容器本体の開口を閉じる蓋とを備える容器であって、前記容器本体内の上下方向の中途部に、容器内に収納された収納物を載せることができる棚部が設けられたことを特徴とするとすることができる。
また、本発明にかかる容器の一形態によれば、前記棚部が、前記収納物のうち所定の大きさ以下の物が好適に落下できるように線状の棚用部材によって形成されていることを特徴とすることができる。
また、本発明にかかる容器の一形態によれば、前記線状の棚用部材が、前記収納物の形状に対応してリング状に形成されていることを特徴とすることができる。
また、本発明にかかる容器の一形態によれば、前記棚部が、前記容器本体内の上下方向の中途部で且つ開口寄りに設けられたことを特徴とすることができる。
【００１６】
また、本発明にかかる容器の一形態によれば、前記棚部の上面には、該棚部に載った収納物の転落を防止すべく、凹部、凸部又は貫通孔のうち少なくともいずれかの一から成る転落防止部を備えることを特徴とすることができる。
また、本発明にかかる容器の一形態によれば、前記棚部の上面には、該棚部に載った収納物が整列をすべく、平行に配列された複数の筋条、凹部、凸部又は貫通孔のうち少なくともいずれかの一から成る整列部を備えることを特徴とすることができる。
【発明の効果】
【００１７】
本発明の容器及び食品容器によれば、被収納物を好適に取り出すことが可能になるという有利な効果を奏する。
また、本発明の重ね容器によれば、容器本体に連結することで、本発明にかかる容器及び食品容器を好適に構成できる。
【発明を実施するための最良の形態】
【００１８】
以下、本発明の食品容器に係る最良の形態の一例を添付図面（図１〜４）と共に詳細に説明する。図１は本発明に係る食品容器の一形態を示す断面図である。図２は図１の食品容器について蓋をした後に反転して置いた状態を示す断面図である。図３は図２の状態から再度反転させて蓋を外した状態を示す断面図である。図４は仕切部材を引き上げて食品（漬物）を取り出した状態を示す断面図である。
本形態の食品容器１０は、基本的に、容器本体２０と、蓋２５と、仕切部材３０及びその仕切部材を支持する支持手段５０とから構成されている。以下、各構成について詳細に説明する。
【００１９】
容器本体２０は、本形態では筒体の一端が広口に開口し、他端が塞がれた有底の容器となっている。底部２１は側壁部２２と一体的に形成されている。例えば、梅酒漬け用の広口瓶に相当する形状となっている。なお、この容器本体２０の形状は、円筒状に限らず、四角いものなど、他の形状でも良いのは勿論である。また、底部２１を蓋で開閉可能且つ密閉状態に形成することも可能である。
【００２０】
蓋２５は、容器本体２０の開口２９を密封して閉じる。密封方法は、ねじ込みによるもの、押し込みによるもの、締め金具によるもの、バネ性の有る留め具によるものなど、パッキンなどと合わせて周知の方法を適宜選択的に用いればよい。なお、本形態では、ねじ込みによって密封する形態となっている。
また、この食品容器１０は、反転しても安定的に置くことが可能に上下の端部が設けられている。つまり、容器本体２０の底部（底面）だけでなく、蓋２５の外端面（上面）も引っ繰り返して置いたときに倒れない形状となっている。本形態では、両端部とも単なる平面であるが、転倒防止の脚などを設けてもよい。
【００２１】
仕切部材３０は、容器本体２０内の上下方向（高さ方向）の中途部に位置して上下に分割するように仕切ると共に漬け液等の流動の可能な物が上下方向に流通可能に設けられている。
本形態の仕切部材３０は、水平に設けられた仕切板部３１が、格子状、すのこ状又は網目状などに形成されている。これにより、複数の孔（小孔３２）が設けられた形態となっており、その小孔３２より小さくて流動する物は流通できるが、その小孔３２より大きな一定以上の大きさの固形状物は通過できない。本形態では多数の小孔３２が設けられ、均一性のある流通性を備えている。
そして、この仕切部材３０は、容器本体２０内へ上下方向にスライドさせて挿入及び取出し自在に設けられている。このため、仕切部材３０を容器本体２０に対して簡単に着脱することができる。これにより、容器本体２０内及び仕切部材３０を容易に洗浄できる。なお、仕切部材３０を必要としないときには、取り外しておけばよい。
ところで、この仕切部材３０を、既製の容器に合わせて製作し、その既製の容器に用いれば、容易に本発明かかる食品容器を得ることができる。
【００２２】
また、３５は外縁ガイド部である。仕切部材３０の外縁に、少なくとも上下方向に延び、容器本体２０の内側面２４に沿って仕切部材３０の上下動を相対的に案内するように設けられている。この外縁ガイド部３５の存在で、仕切部材３０が傾くことを好適に防止できる。これにより、仕切部材３０が引っ掛かることなく、上下方向に好適に移動できる。
本形態の外縁ガイド部３５は、筒状に形成されており、容器本体２０の筒体内に入れ子状態に挿入されている。すなわち、外縁ガイド部３５は、容器本体２０内に、二重管のように実質的に筒体の軸心を同じくする関係で摺動可能に挿入されている。
【００２３】
また、３６はスライド用突起であり、外縁ガイド部３５の外側面に突起して複数設けられている。このスライド用突起３６が容器本体２０の内側面２４に摺接し、摺動の際の摩擦抵抗を低減している。
また、この外縁ガイド部３５は、仕切板部３１から蓋２５側へより長く延びた蓋側の筒体部３７を有する。この蓋側の筒体部３７と、仕切板部３１から成る底材とによって、内部容器が構成されている。この内部容器内４０に食品を入れることによって、食品をこぼさないように取り出すことができる。
本形態の筒体部３７には孔を図示していないが、上下方向に漬け液等を流通させるための小孔を設けるようにしてもよい。
【００２４】
支持手段５０は、仕切部材３０を容器本体２０内の所定高さに位置されるように支持する。
この支持手段５０としては、仕切部材３０に実質的に上下方向へ延びる状態に設けられ、少なくとも一つの先端部が容器本体２０の内底面２３又は蓋２５の内面２６に当接することで仕切部材３０を支持する支持部材を用いることができる。
なお、支持手段としてはこれに限らず、容器本体２０側に仕切部材３０を適宜支持する部分を設けるようにしてもよい。また、上記の支持部材による支持手段と、容器本体２０側の支持手段とを合せて用いてもよい。
【００２５】
本形態の支持手段５０は、棒状部材５１と係止部５５とによって構成されている。
棒状部材５１は、容器本体２０内で仕切部材３０の上下に延びると共に仕切部材３０の実質的に中央部に設けられた貫通孔３３に上下方向へ相対的にスライド可能に挿通されている。この棒状部材５１の一端側が仕切部材３０をつまみ上げるための把持棒部５３となっている。そして、その棒状部材５１の他端側が先端部で容器本体２０の内底面２３に当接して仕切部材３０を支持する支持棒部５２となっている。
また、５５は係止部であり、棒状部材５１の中途部に、仕切部材３０が容器本体２０の内底面２３側へ所定以上移動することを阻止するように設けられている。つまり、貫通孔３３は、棒状部材５１の棒の太さよりも大きく、係止部５５よりも小さく形成されている。この係止部５５を、例えば雌ねじ状とし、雄ねじ状に設けた棒状部材５１に螺合させて係止させてもよい。これによれば、係止部５５の棒状部材５１に対する上下方向の位置調整を好適できる。なお、これに限らず、棒状部材５１に対する係止部５５の係止方法は、周知の手段を適宜用いればよい。
【００２６】
次に、以上の構成を有する食品容器１０の使用方法について説明する。
先ず、図１に示すように容器本体２０内に、漬け液１６と支持手段５０を備える仕切部材３０とを入れ、内部容器内４０に果実や野菜などの漬けたい食品１８を入れる。
次に、図２に示すように、容器本体２０に蓋２５をして、食品容器１０を反転した状態で置く。蓋２５が下に位置して、容器本体２０の閉塞端部（底）が上に位置する。これにより、食品１８が蓋２５によって設けられた底の上に溜まり、漬け液に浸った状態となる。この状態で適宜保存すれば、食品が好適に漬かる。例えば、梅、ラッキョウ或いは豆を好適に漬けることができる。なお、食品を液体に漬ける場合だけでなく、食品に粉状の物をまぶす場合などにも利用できる。
【００２７】
次に、漬物などの食品１８を取り出す際には、図３に示すように食品容器１０を再度反転させる。蓋２５が上になって、容器本体の底が下になる。これにより、漬け液１６が仕切部材３０の小孔３２を通過して容器本体２０の底に溜まる。漬物については、仕切部材３０によって下方への移動が阻止されるから、その漬け液が切られることになる。
そして、蓋２５を外す。漬け液が切られた状態となっているので、箸などを漬け液に浸すことなく食品１８を衛生的に取り出すことができる。
さらに、図４に示すように、把持棒部５３の先端部を指６０でつまみ、仕切部材３０を引き上げて漬物を取り出すことができる。漬け液１６に指を浸すことなく、好適に漬物を取り出すことができる。
【００２８】
次に、本発明の食品容器に係る最良の形態の他の例を添付図面（図５〜７）と共に詳細に説明する。図５は本発明にかかる仕切部材に開口部分が設けられた食品容器の一形態にかかる構成部材を示す断面図（分解図）である。図６は仕切部材の平面図である。図７は図５の食品容器の使用状態を示す断面図である。
本形態の食品容器１１０は、図１の形態と同様に、容器本体１２０と、蓋１２５と、仕切部材１３０及びその仕切部材を支持する支持手段１５０とから構成されている。
【００２９】
容器本体１２０は、本形態では外形が円錐台を逆さまにした形状で、上端が広口に開口し、他端が塞がれた有底の容器となっている。底部１２１は側壁部１２２と一体的に形成されている。また、側壁部１２２は上方へ向かって広くなるテーパ状に形成されている。例えば、プラスチック素材によって容易且つ安価に成形できる。なお、この容器本体１２０の形状は、円形に限らず、四角いものなど、他の形状でも良いのは勿論である。
また、本形態では、容器本体１２０の上端近傍に、側壁部１２２の内側面がリング状の溝となるようにリング溝１２８が設けられている。
【００３０】
蓋１２５は、容器本体１２０の開口１２９を密封して閉じる。本形態の密封方法は、押し込みによるものである。
また、本形態の蓋１２５は、外形が円錐台を逆さまにした形状で、下端が開口し、上端面が塞がれた断面略コの字状に形成されている。周縁側壁部１２６には、外側面がリング状の突起となるようにリング突起１２７が形成されている。このリング突起１２７が、前記リング溝１２８に圧入状態に嵌り、蓋１２５がその弾性で容器本体１２０を密封する形態となっている。
【００３１】
仕切部材１３０は、容器本体１２０内の高さ方向の中途部に位置して上下に仕切り、漬け液等の流動の可能な物が上下方向に流通可能に多数の小孔１３２設けられている。そして、仕切部材１３０の一部には、小孔１３２では上下に流通できない大きさ以上の物質が上下に流通可能に、少なくともその物質の大きさ以上の開口部分１７０が設けられている。なお、その物質がゲル状などの場合を考えれば、その開口部分１７０は、食品容器１１０に収納されたゲル状を含む固形物が上下に流通可能な大きさ以上の透孔（貫通孔）であればよい。
そして、仕切部材１３０の開口部分１７０を形成する端縁部１３３の表面が、断面弧状に反り上がった形状となっている。これにより、固形物が滑り落ちることを好適に止めることができ、且つ仕切板部１３１に載った流動可能な物などが引っ掛かることなく容器本体１２０の底側へ好適に移動できる。また、好適に水切りができる。なお、断面が平面と平面とが交差して形成される角部であっても、鈍角であれば同様の効果を奏する。また、前記端縁部の最も縁にあたる部分がＲをとった状態の丸められた形状となっている。これによっても、好適に前記物質の移動ができる。
また、本形態の仕切部材１３０は、外形が円錐台を逆さまにした形状で、上端が全体に開口し、断面略コの字状に形成されている。周縁に、上方に向かってテーパ状に広くなる周縁立ち上げ部１３５を備えている。
【００３２】
この仕切部材１３０は、容器本体１２０内へスライドされて挿入され、容器本体１２０内の側壁部１２２によるテーパによって受けられる。そして、周縁立ち上げ部１３５が当接する側壁部１２２の部分が、仕切部材１３０を支持する支持手段１５０となっている。
これにより、この仕切部材１３０は、容器本体１２０内の所定高さに位置される。さらに本形態では、仕切部材１３０がその高さに確実に位置するように固定手段によって固定されている。固定手段としては、接着剤による接合、熱溶着、嵌合構造、かしめ構造などを採用できる。
【００３３】
次に、以上の構成を有する食品容器１１０の使用方法について説明する。
先ず、容器本体１２０内の仕切部材１３０よりも下側に、例えば豆などの漬けたい食品１１８と、漬け液１１６とを入れ、蓋１２５をする。これにより、食品１１８を漬ける。
次に、漬けられた食品１１８を取り出す際には、食品容器１１０を振るか、傾けるなどする。または、反転させて振るなどする。これにより、食品１１８が、開口部分１７０を通過し、図７に示すように仕切部材１３０の仕切板部１３１の上に載る。
このようにして食品１１８が仕切板部１３１の上に位置した状態の食品容器１１０を静かに置くと、食品１１８から漬け液が好適に切られる。そして、蓋１２５を外す。漬け液が切られた状態となっているので、箸などを漬け液に浸すことなく食品１１８を衛生的につまみ上げることができる。
また、本形態の食品容器１１０に、氷入りのジュースなどを入れても好適に利用できる。氷を仕切板部１３１の下側に位置させれば、ジュースなどが飲み易くなる。また、氷がほしいときは、仕切板部１３１の上へ適宜に移すことができる。従って、氷を仕切板部１３１の上下のどちらか所望する位置に置いてジュースなどを好適に味わうことができる。
【００３４】
次に、本発明の食品容器に係る最良の形態の他の例を添付図面（図８〜１３）と共に詳細に説明する。図８は仕切部材に開閉部材が設けられた本発明にかかる食品容器の一形態を示す断面図である。図９は図８の開閉部材を完全に開いて食品を仕切部材の上に載せるための動作を示す断面図である。図１０は図９の状態で漬け液を切って蓋を外した状態を示す断面図である。図１１は仕切部材を引き上げて食品（漬物）を取り出した状態を示す断面図である。図１２は仕切部材の開閉部材が閉じた状態を示す平面図及び断面図である。また、図１３は仕切部材の開閉部材が開いた状態を示す平面図及び断面図である。
本形態の食品容器１１は、図１の形態とは仕切部材（３０ａ）の構造が相違する。仕切部材３０ａの形態を中心に説明し、図１の形態と同等の構成については同一符号を付して詳細な説明を省略する。
【００３５】
７０は開口部分であり、仕切部材３０ａの一部に設けられている。開口部分７０は、容器本体２０内に収納された所定の大きさ以上の食品１８が上下に移動可能に一定の大きさ以上の孔として設けられている。また、本形態の開口部分７０は、仕切部材３０ａの水平に設けられた仕切板部３１ａに略４分の１の円状に形成されている（図１２、１３を参照）。
この開口部分７０の形態は特に限定されるものではないが、食品１８が上下に移動できると共に、その食品１８が載る仕切板部３１ａの面積を適宜確保するものであればよい。
【００３６】
７１は開閉部材である。開口部分７０を開閉する開閉部材７１として仕切部材３０ａに設けられている。本形態では、開き戸のように蝶番７５を介して開閉する形態となっている（図１２、１３を参照）。
開口部分７０を閉じた際には、仕切部材３０ａと一体となって仕切板部３１ａを構成する。本形態の開閉部材７１も、前記仕切板部３１と同様に、格子状、すのこ状又は網目状などに形成されている。これにより、複数の孔（小孔３２）が設けられた形態となっており、流動する物は流通できるが、一定の大きさ以上の固形物は通過できない。
また、開閉部材７１が開いた際には所定大きさ以上の食品１８が上下に移動できる。
なお、仕切部材３０ａが中心軸に相当する棒状部材５１を中心に容器本体２０内で回転しないように、仕切部材３０ａと側壁部２２に回転防止構造（図示せず）を設けてもよい。
【００３７】
次に、以上の構成を有する食品容器１１の使用方法について説明する。
先ず、図８に示すように容器本体２０内に、果実や野菜などの漬けたい食品１８と、漬け液１６と、支持手段５０を備える仕切部材３０ａとを入れ、蓋２５をする。開閉部材７１は、食器容器１１を振ると蝶番７５を支点に他端側７６が上方へ回動して開く。反対に、下方へは外縁ガイド部３５の内側面に形成されたストッパ部３９に係止して回動しない。
次に、図９に示すように、食品容器１１を強く振るか、傾けるなどすることによって開閉部材７１が反転して開くと同時に、漬物などの食品１８が仕切板部３１ａの上に載る。
【００３８】
このようにして食品１８が仕切板部３１ａの上に位置した状態の食品容器１１を、図１０に示すように静かに置くと、食品１８から漬け液が好適に切られる。そして、蓋２５を外す。漬け液が切られた状態となっているので、箸などを漬け液に浸すことなく食品を衛生的につまみ上げることができる。また、漬け液が上部まである場合でも、箸を容器本体２０の奥深くまで入れることなく、食品を好適に取り出すことができる。なお、食品を液体に漬ける場合だけでなく、食品に粉状の物をまぶす場合にも利用できる。
さらに、図１１に示すように、把持棒部５３の先端部を指６０でつまみ、仕切部材３０ａを引き上げて漬物を取り出すことができる。漬け液１６に指を浸すことなく、好適に漬物を取り出すことができる。
【００３９】
次に、図１４及び１５に基づいて開閉部材７２を有する仕切部材（３０ｂ）の他の形態について説明する。本形態の開閉部材７２は、スライド回転して開口部分７０を開閉する。軸７３を中心に回動する。図１４は開閉部材７２が開口部分７０を閉じた状態を示す断面図である。また、図１５は開閉部材７２が回転して開口部分７０を開いた際の状態を示す断面図である。
これによっても、図８の食器容器１１と同様に、開口部分７０が開いた状態のとき仕切板部３１ｂの上に食品を好適に載せることができる。従って、その食品を好適に取り出すことができる。
【００４０】
次に、本発明の食品容器に係る最良の形態の他の例を添付図面（図１６〜２０）と共に詳細に説明する。図１６は本発明にかかる食品容器の他の形態を示す斜視図である。図１７は図１６の食器容器の断面図である。図１８は図１７の食品容器について蓋をした後に反転して置いた状態を示す断面図である。図１９は図１８の状態から再度反転させて蓋を外した状態を示す断面図である。図２０は仕切部材を引き上げて食品（漬物）を取り出した状態を示す断面図である。
本形態の食品容器１２は、図１の形態とは漬物用おもり８０という構成が追加された点が相違する。漬物用おもり８０を中心に説明し、図１の形態と同等の構成については同一符号を付して詳細な説明を省略する。
【００４１】
漬物用おもり８０は、仕切部材３０によって上下に仕切られた容器本体２０内の内底側に上下方向へ移動可能に配されている。本形態の漬物用おもり８０は、重いもの８１と軽いもの８２とで２段に配されている。この２段のおもり８１、８２は、連結部８３によって連結及び分離可能に設けられている。さらに多数段に設けることも可能である。これにより、重量の調整ができる。また、どちらのおもり８１、８２も、中央部に貫通孔８５、８６が設けられている。
また、仕切部材３０は、本形態においても、容器本体２０内で上下方向へ移動可能に設けられている。
【００４２】
５０は支持手段であり、図１の形態と同様に、仕切部材３０を容器本体２０内の所定高さに位置されるように支持する。また、棒状部材５１と係止部５５とによって構成されている。
５１は棒状部材であり、容器本体２０内で仕切部材３０の上下に延びると共に仕切部材３０及び漬物用おもり８０の実質的に中央部に設けられた貫通孔８５、８６に上下方向へ相対的にスライド可能に挿通されている。この棒状部材５１の一端側が仕切部材３０をつまみ上げるための把持棒部５３となっている。そして、その棒状部材５１の他端側が先端部で容器本体２０の内底面２３に当接して仕切部材３０を支持する支持棒部５２となっている。
また、５５は係止部であり、棒状部材５１の中途部に設けられ漬物用おもり８０の上下方向の移動を許容するが仕切部材３０の漬物用おもり８０側への所定以上の移動を阻止するように設けられている。
【００４３】
次に、以上の構成を有する食品容器１２の使用方法について説明する。
先ず、図１７に示すように容器本体２０内に、漬物用おもり８０と支持手段５０を備える仕切部材３０とを入れる。この際、棒状部材５１の支持棒部５２が貫通孔８５、８６に挿通された状態になっている。そして、内部容器内４０に塩などと共に果実や野菜などの漬けたい食品１９を入れる。
次に、図１８に示すように、容器本体２０に蓋２５をして、食品容器１２を反転した状態で置く。蓋２５が下に位置して、容器本体２０の閉塞端部（底）が上に位置する。このとき、漬物用おもり８０が下方へ移動して仕切部材３０を介して食品１９を押圧する。これにより、食品１９を、重石をした状態で好適に漬けることができる。
【００４４】
次に、漬物などの食品１９を取り出す際には、図１９に示すように食品容器１２を再度反転させる。蓋２５が上になって、容器本体の底が下になる。これにより、漬物用おもり８０が下側に位置すると共に、漬け液（図示せず）が仕切部材３０の小孔３２を通過して容器本体２０の底に溜まる。漬物については、仕切部材３０によって下方への移動が阻止されるから、その漬け液が切られることになる。
そして、蓋２５を外す。漬け液が切られた状態となっているので、箸などを漬け液に浸すことなく食品１９を衛生的に取り出すことができる。
さらに、図２０に示すように、把持棒部５３の先端部を指６０でつまみ、仕切部材３０を引き上げて漬物を取り出すことができる。漬け液に指を浸すことなく、好適に漬物を取り出すことができる。
【００４５】
次に、本発明の食品容器に係る最良の形態の他の例を添付図面（図２１〜２４）と共に詳細に説明する。図２１は本発明にかかる食品容器の他の形態を示す断面図である。図２２は図２１の食品容器について蓋をした後に反転して置いた状態を示す断面図である。図２３は図２２の状態から再度反転させて蓋を外した状態を示す断面図である。図２４は蛇腹構造の有底容器を引き上げて食品（漬物）を取り出した状態を示す断面図である。
本形態の食品容器１３は、図１６の形態とは蛇腹構造の有底容器９０という構成が追加され、漬物用おもり８０自体が支持手段５０となっている点が相違する。これらの構成を中心に説明し、図１６の形態と同等の構成については同一符号を付して詳細な説明を省略する。
【００４６】
蛇腹構造の有底容器９０は、蛇腹部９１によって上下方向に伸縮可能となっており、底部９２が容器本体２０内を上下に仕切る部分となっている。また、蛇腹構造の有底容器９０の開口９３側の端部には切り欠き部９４が設けられている。この切り欠き部９４によって、漬け液等の流動の可能な物が上下方向に流通可能になっている。
従って、この蛇腹構造の有底容器９０自体が、以上に説明した仕切部材３０と同等の仕切部材としての機能を有する。このため、本形態のような仕切部材３０を介在しなくとも、漬物用おもり８０が支持手段５０になって、食品１９を好適に取り出すこともできる。
なお、漬け液等を流通させるには、本形態に限らず、蛇腹構造の有底容器９０の他の部分に適宜な孔を設けることも可能である。
【００４７】
次に、以上の構成を有する食品容器１３の使用方法について説明する。
先ず、図２１に示すように容器本体２０内に、漬物用おもり８０と仕切部材３０及び蛇腹構造の有底容器９０を入れる。そして、蛇腹構造の有底容器９０内に塩などと共に果実や野菜などの漬けたい食品１９を入れる。なお、食品１９などを蛇腹構造の有底容器９０に入れた後、それを容器本体２０内に入れてもよい。
次に、図２２に示すように、容器本体２０に蓋２５をして、食品容器１３を反転した状態で置く。このとき、漬物用おもり８０が下方へ移動して仕切部材３０及び蛇腹構造の有底容器９０を介して食品１９を押圧する。これにより、食品１９を、重石をした状態で好適に漬けることができる。
なお、本形態では、蛇腹構造の有底容器９０が単数の場合を示したが、複数を並列させて同時に漬ける形態でも良い。
【００４８】
次に、漬物などの食品１９を取り出す際には、図２３に示すように食品容器１３を再度反転させる。蓋２５が上になって、容器本体の底が下になる。これにより、漬物用おもり８０が下側に位置すると共に、漬け液（図示せず）が仕切部材３０の小孔３２を通過して容器本体２０の底に溜まる。
そして、蓋２５を外す。蛇腹構造の有底容器９０内に残るものを除いて漬け液が切られた状態となる。従って、図２１に示すように、蛇腹構造の有底容器９０ごと食品を好適に取り出すことができる。
【実施例１】
【００４９】
本発明にかかる容器の一実施例について、添付図面（図２５）に基づいて説明する。図２５は、発明にかかる容器の仕切部材を容器本体に着脱可能に固定する一形態を示す断面図である。
２２０は容器本体であり、２２５は蓋である。また、２３０は仕切部材である。
２５０は容器本体の側壁部の内側面２２２に形成された凹状の被係合部２５０であり、仕切部材２３０を支持する支持手段として機能する。この被係合部２５０は、リング状の溝に形成されていてもよいし、断続的に凹んだ状態に形成されていてもよく、仕切部材２３０の周縁部２３５が嵌って好適に係止できる形態であればよい。また、この被係合部２５０は、内側面２２２の高さ方向に複数が設けられており、仕切部材２３０をスライドさせて挿入し、容器本体２２０内の所望の高さ位置に固定することができる。
また、仕切部材２３０は、樹脂材などで成形でき、その弾性によって被係合部２５０へ容易には離脱不能に好適に嵌ることができる。また、その弾性を利用してスライドさせて取り出し可能とすることもできる。
【実施例２】
【００５０】
本発明にかかる容器の他の実施例について、添付図面（図２６）に基づいて説明する。図２６は、発明にかかる容器の仕切部材を容器本体に着脱可能に固定する他の形態を示す断面図である。
３２０は容器本体であり、３２５は蓋である。また、３３０は仕切部材である。
３３５は装着手段であり、仕切部材３３０の周縁部に適宜複数が設けられている。この装着手段３３５によれば、半径方向外側へ付勢される弾性力を利用して容器本体３２０の内側面３２２に当接し、容器本体３２０内に仕切部材３３０を固定する。弾性力を付勢する手段としては、バネ、素材自体の弾性を利用することができる。
これにより、仕切部材３３０をスライドさせて挿入し、容器本体２２０内の所望の高さ位置に固定することができる。また、仕切部材３３０をスライドさせて取り出すこともできる。
【実施例３】
【００５１】
本発明にかかる容器の他の実施例について、添付図面（図２７）に基づいて説明する。図２７は、発明にかかる容器の仕切部材を容器本体に着脱可能に支持する形態を示す断面図である。
２０ｃは容器本体であり、２５は蓋である。また、３０ｃは仕切部材である。
３０ｃはかご状に形成されており、仕切板部３１ｃと外縁ガイド部３５ｃのどちらにも多数の小孔３２が設けられている。外縁ガイド部３５ｃは、かごの側壁部に相当する部分となっており、蓋２５の内面２６に当接することで仕切部材３０ｃを支持する支持部材となって支持手段の一部を構成する。
また、２４ｃは係止部であり、容器本体２０ｃの内側面に設けられている。これも仕切部材３０ｃを支持する支持手段の一部を構成する。これにより、仕切板部３１ｃが容器本体２０ｃの高さ方向の中途部に好適に位置されることになる。
なお、７０は開口部分であり、７１は開閉部材であって、図８の本発明の一形態について説明したものと同様に機能する。
この構成によっても、食品１８を仕切板部３１ｃの上に好適に載せることができ、食品１８から漬け液を切ることができる。従って、箸などを漬け液に浸すことなく食品を衛生的につまみ上げることができるなどの効果がある。
さらに、図２８に示すように、外縁ガイド部３５ｃの先端部を指６０でつまみ、仕切部材３０ｃを引き上げて漬物（食品１８）を好適に取り出すことができる。
【００５２】
次に、本発明の食品容器に係る最良の形態の他の例を添付図面（図２９）と共に詳細に説明する。図２９は本発明にかかる食品容器の一形態を示す正面断面図、及び蓋を外した状態の平面図である。
本形態の食品容器５００は、基本的に、容器本体５１０と、蓋５５０と、仕切部５３０とから構成されている。以下、各構成について詳細に説明する。
【００５３】
容器本体５１０上部に開口５１１を有する。この容器本体５１０の開口５１１は蓋５５０によって閉じられる。
仕切部５３０は、容器本体５１０内の上下方向の中途部に、内部（容器内）に収納された物の上下の移動を制限しない開口部分５３５を残しつつ、容器内を上下に分割するように仕切ることでその容器内に収納された物の上下の移動を制限すると共に容器内に収納された固形状物６５が載ることができるように設けられている。開口部分５３５の大きさ及び形状は、収納される物に応じて適宜確保及び設定されればよい。また、開口部分５３５は、所定の大きさ以上の固形物が上下に移動できる開放部のことであり、仕切部５３０の一部が切り欠かれて設けられる切り欠き部分であっても良い。
なお、容器内に収納された物の上下の移動を制限しないとは、容器内の固形状物６５などが実質的に上下に移動できることである。いわゆるグミのようなゲル状などの柔軟性のある固形状物６５は、比較的小さな開口部分５３５であっても上下に移動できる。
また、容器内に収納された物の上下の移動を制限するとは、小孔などがない形態で液体等の流通までも遮断する状態や、小孔などが設けられて比較的大きな物（固形状物）の流通が阻止される状態を含むことを意味する。
【００５４】
また、図２９に示した食品容器は、具体的に以下のように構成されている。
前記容器本体５１０は、底部５１２を有する下側本体５１５の上に、上下が開口された上側本体５２０が重ねられて一体化されることで構成され、下側本体５１５には上部に前記仕切部５３０が設けられ、上側本体５２０の上部の開口５１１は蓋５５０によって閉じられる。
また、本形態の食品容器は、上側本体５２０が下側本体５１５に対して着脱可能に設けられ、仕切部５３０の開口部分５３５は開封されることで形成される透孔である。本形態の開口部分５３５は、爪部５３６をてこの原理で缶上面へ押し込むことで開封する缶の開封手段によって開口されている。
また、下側本体５１５と上側本体５２０との間がシールされ、上側本体５２０の上部の開口５１１は蓋５５０によって密封されている。これにより、漬け液に漬けられた食品等を収納する容器として好適に用いることができる。
【００５５】
本形態によれば、上側本体５２０と蓋５５０によって下側本体５１５の上部を覆うことになる。これにより、開封されて形成される開口部分５３５及び固形状物６５が載る仕切部５３０の表面を衛生的に保護できる。
また、上側本体５２０が下側本体５１５の上部に着脱可能に嵌る形態となっている。従って、上側本体５２０を外した状態において、缶状に形成された下側本体５１５の開封を好適に行うことができる。
さらに、開封手段の爪部５３６に水平方向の両側に棒状に突起させた水平延設部５３７を形成してある。この水平延設部５３７は、一旦仕切部５３０の上に載った固形状物６５が落下しないように阻止する転がり防止手段となっている。この転がり防止手段は本形態に限らず、同様の機能を奏するのであれば例えばリング状に形成するなどしても良い。
【実施例４】
【００５６】
次に、仕切部５３０に係る他の実施例について、図３０に基づいて説明する。
仕切部５３０は、図に示すように複数の支持片５３１が外周縁から内向き且つ放射状に延出された形態のものとしてもよい。なお、複数の支持片５３１以外の部分が開口部分５３５となる。各支持片５３１は、上方へ回動又は湾曲することを許容し、下方へ回動又は湾曲することを制限できるものであるとよい。これによれば、比較的大きな固形状物６５を好適に載せることができ、その固形状物を容易に取り出すことが可能となる。
【実施例５】
【００５７】
また、仕切部５３０は、図３１に示すように、開口部分５３５に複数の支持片５３１が差し渡された形態としてもよい。本形態では、各支持片５３１が両持ち状態になって、一旦仕切部５３０の上に載った固形状物６５が落下しないように好適に阻止することができる。
【実施例６】
【００５８】
次に、容器の全体形状に係る他の実施例について、図３２に基づいて説明する。
本形状の容器は、容器本体５１０の開口５１１が、容器本体５１０の上部の側部に設けられている形態となっており、他の角度から言えば、容器本体５１０の下部の容量を大きく形成した形態となっている。
この仕切部５３０の仕切板部５３２は、大部分には孔があいていない。これにより、図３２のように容器を大きく傾けても、漬け液等がこぼれることがない。そして、仕切板部５３２上に載った固形状物６５を、その仕切板部５３２の上から好適に取り出すことができる。図のように蓋５５０の内側へ固形状物６５を振り出して好適に移すことができる。
【００５９】
次に、本発明の重ね容器に係る最良の形態の他の例を添付図面（図３３）と共に詳細に説明する。図３３は本発明にかかる重ね容器の一形態を示す正面断面図、及び容器本体に連結する状態を説明する正面断面図である。
この重ね容器５２１は、容器本体５１０の上部に設けられた開口５１１の上に重ねて取り付けられ、容器本体５１０に収納された物の少なくとも一部を移すことのできる容積を備えると共に上部が開口された重ね本体５２２を有し、容器本体５１０と一体化して一つの容器５０１を形成するものである。
【００６０】
５２３は連結部であり、容器本体５１０の開口５１１に連結される部分として、重ね本体５２２の下部に設けられている。
そして、その連結部５２３の上側には、容器本体５１０に取り付けられた際に、容器内に収納された物の上下の移動を制限しない開口部分５３５を残しつつ、容器内を上下に分割するように仕切ることでその容器内に収納された物の上下の移動を制限すると共に容器内に収納された固形状物６５が載ることができる仕切部５３０が設けられている。
５５０は蓋であり、重ね本体５２２の開口５２４を閉じる。
また、本形態では、重ね本体５２２の連結部５２３は容器本体５１０の開口５１１との間でシール可能に設けられ、重ね本体５２２の開口５２４は蓋５５０によって密封される。このようにシール及び密封することで、液体を含む被収納物に好適に対応できる。なお、固形状の物質のみを被収納物とする場合は、必ずしもシールや密封は要しない。
【００６１】
この重ね容器５２１が、容器本体５１０の上部に設けられた開口５１１の上に重ねて取り付けられることで、仕切部５３０を有する容器５０１を容易且つ好適に構成できる。
既存の容器本体５１０を好適に使用することができ、互換性が生じる。
【実施例７】
【００６２】
次に、重ね容器５２１の実施例について、図３４に基づいて説明する。
図３４は容器本体５１０に重ね容器５２１が連結された状態を示している。仕切部５３０の仕切板部５３２が傾斜して形成されている。これにより、小孔は形成されていないが、漬け液等が好適に流れ、その漬け液等を好適に切ることができる。
容器本体５１０の形状は限定されるものではなく、図に示すように、重ね容器５２１と比較して大きく形成されたものでもよい。この実施例では、重ね本体５２２の連結部５２３と容器本体５１０の開口５１１との間のシールは、Ｏ−リング状のパッキン５２５によってなされている。
なお、容器本体５１０の開口５１１の部分は、重ね容器５２１が連結されるまでは、保護シートを兼ねた密封材で覆われていれば、衛生上の安全性も確保できる。
【実施例８】
【００６３】
図３５に示す実施例８は、実施例７とシール方法以外は同一の構成となっている。この実施例では、重ね本体５２２の連結部５２３と容器本体５１０の開口５１１との間のシールは、接着剤５２６によってなされている。
【実施例９】
【００６４】
図３６に示す実施例９は、実施例７とシール方法以外は同一の構成となっている。この実施例では、重ね本体５２２の連結部５２３と容器本体５１０の開口５１１との間のシールは、ねじ込み式５２７によってなされている。
【実施例１０】
【００６５】
図３７に示す実施例１０は、容器本体５１０の開口５１１が、容器本体５１０の上部の側部に設けられている形態の容器である。そして、その側部の開口５１１に、重ね容器５２１が連結されて、一つの容器を形成している。また、容器本体５１０自体の高さ方向の中途部に仕切板部５３２が設けられている。
この実施例によれば、容器を大きく傾けても、漬け液がこぼれることがない。このため、実施例６と同様に、固形状物６５を重ね容器５２１の仕切部５３０の上に載せて好適に振り出すことができる。
【実施例１１】
【００６６】
図３８に示す実施例１１は、重ね容器５２１に設けられた仕切部５３０の開口部分５３５が、開閉部材５４０によって開閉自在に形成された容器である。図３８は、容器の要部を示す正面断面図と、蓋５５０を外した状態の平面図を示している。
蓋５５０の内側中央に六角レンチ状の棒５５１が下方へ延びている。この棒５５１の先端が、蓋５５０を重ね容器５２１に嵌めたとき、開閉部材５４０に固定された六角形の凹部５４１に嵌る。このため、蓋５５０を回すことで、開閉部材５４０を回動させることができ、仕切部５３０の開口部分５３５を開閉できる。
【実施例１２】
【００６７】
図３９に示す実施例１２は、容器本体５１０に設けられた仕切部５３０の開口部分５３５が開閉部材５４５によって開閉自在に形成された容器の他の一例である。図３９は、容器の正面断面図と、蓋５５０を外した状態の平面図を示している。
この実施例の開閉部材５４５は、開き戸式に開閉するもので、フック部５４６に指を掛けて開閉することが可能に設けられている。
なお、仕切部５３０の仕切板部５３２は傾斜して設けられており、漬け液等を好適に切ることができる。また、本実施例では、筋条５３３が形成されており、これも漬け液等の液体を好適に流すように作用する。また、５３４は突起であり、複数が開口部分５３５の縁部に設けられている。この突起５３４により、仕切部５３０の上に載った固形状物６５が滑り落ちてしまうことを好適に阻止できる。これにより、固形状物６５を取り出し易くすることができる。
【００６８】
次に、本発明の食品容器に係る最良の形態の他の例を添付図面（図４０〜４３）と共に詳細に説明する。図４０は本発明にかかる食品容器の一形態を示す側面断面図、及び蓋と棚部を外した状態の側面断面図である。図４１は図４０の棚部の固定状態を説明する断面図である。図４２は図４０の食品容器の外観を示す平面図及び側面図である。また、図４３は棚部を示す平面図である。
本形態の食品容器７００は、基本的に、容器本体７１０と、蓋７５０と、棚部７３０とから構成されている。以下、各構成について詳細に説明する。
容器本体７１０は上部に開口７１１を有する。蓋７５０は、容器本体７１０の開口７１１を閉じる。なお、本形態の蓋７５０は、開口７１１を二つに分割して開閉できる形態となっている。
【００６９】
７３０は棚部であり、容器本体７１０内の上下方向の中途部で且つ開口７１１寄りに設けられ、食品容器７００内に収納された収納物６５を載せることができる。
ここで棚部７３０とは、容器本体７１０内の上下方向の中途部における断面空間の一部分を占めるものである。その棚部７３０以外の他の断面空間は、収納物６５が制限を受けないで通ることのできる空きスペースとなっている。また、棚部７３０とは、一定の傾斜角度の範囲内であれば、載せられた収納物６５が落下しないように保持できる保持部となっている。
この棚部７３０は、容器本体７１０の上下方向の中途部の少なくとも半分より上側に設けられている。本形態では、開口７１１の面から収納物の厚さの２倍長さ程度下方に固定されている。
このように上側に棚部７３０を設けたため、利用者は容易に収納物を取り出すことができる。箸などを奥まで突っ込むことを要しない。また、棚部７３０を上側に設けたことで棚部７３０より上側の容積が限定されるため、棚部７３０に載る収納物６５の量を一定量以下に制限できる。この点からも、棚部７３０の位置は、容器本体７１０の上方に位置することが望ましい。
また、収納物６５が、常時は棚部７３０の下側（容器本体７１０内の下側）に収納される。このため、収納物６５が漬け物の場合、常時は漬け液に漬かる状態となり、その酸化を好適に防止できる。
【００７０】
棚部７３０の容器本体７１０内への固定方法は適宜選択的の周知の固定手段を用いればよい。例えば、吸盤を利用して容器内面に貼り付けることもできる。また、容器本体７１０と一体的に形成しても良いのは勿論である。
本形態では図４０及び４１に示すように、容器本体７１０の内側面に設けられた突起７１３に、棚部７３０の側部（立ち上げ部）に設けた凹部７３１が嵌まることで、棚部７３０が固定される。棚部７３０と容器本体７１０の弾性変形を利用して固定状態が好適に保持されるように設けられている。また、突起７１３が複数段に形成されているため、棚部７３０の高さ位置を適宜調整できる。なお、本形態の各段の突起７１３の数は、容器本体７１０の左右の内側面にそれぞれ２個ずつとなっている。この突起７１３の数や形態は、棚部７３０が落下又は回転することのないように、適宜設定すればよい。
【００７１】
棚部７３０の形状は、図４３に示すような三方に立ち上げ部のある形態、図４４に示すような左右両端に立ち上げ部を備えて全体的には単なる帯状の形態、図４５に示すように部分的でコーナー部に固定されるものや、片持ち状に固定されるものなど種々考えられる。
従って、例えば、箱状若しくはポケット状、或いは上面が凹面に湾曲したものなど、収納物６５に対応して適宜選択的に設計すればよい。
また、棚部７３０の上面には、棚部７３０に載った収納物６５の転落を防止すべく、凹部、凸部又は貫通孔のうち少なくともいずれかの一から成る転落防止部を設けても良い。
図４０〜４１及び４３〜４５の形態においては、貫通孔７３２が転落防止部として機能している。なお、図４０に示すように棚部７３０の縁部も落下防止部として作用する。
さらに、図４６及び４７に示すように、棚部７３０に収納物６５に合わせて一定の大きさの貫通孔７３２を設けても良い。これによれば、収納物６５を貫通孔７３２の開いた所定の位置に繰り返し載せることができる。従って、利用者は収納物６５を繰り返し一定の位置から好適に取り出すことができる。
【００７２】
また、棚部７３０の上面には、棚部７３０に載った収納物６５が整列をすべく、平行に配列された複数の筋条、凹部、凸部又は貫通孔のうち少なくともいずれかの一から成る整列部を設けても良い。
図４８及び４９に示すような棚部７３０が断面波形で複数の平行な溝７３３が形成された形態や、図５０に示すような複数の筋を平行に配すことで複数の平行な溝７３３が形成された形態などを採用できる。これによれば図４９及び５０に示すように、ごぼう７６５のような細長い食品について食品容器７００を適宜振るなどするだけで好適に整列させることができる。
【００７３】
また、棚部の形態としては、図５１に示すように収納物のうち所定の大きさ以下の物が好適に落下できるように線状の棚用部材９０１によって形成されていてもよい。なお、図５１（ａ）は収納物６５が載っていない状態を示し、図５１（ｂ）は収納物６５が載っている状態を示す断面図である。図５１の形態では直線状の棚用部材９０１が平行に２本配設されて棚部を構成しているが、これに限定されるものではない。例えば、図５２のように一本の直線状の棚用部材９０１のみが設けられている場合でも、直線状の棚用部材９０１と容器本体の内壁面とによって収納物６５が保持される棚部が構成される。さらに、図５３のように３本以上の複数本の直線状の棚用部材９０１を配設してもよい。また、図５４に示すように直線状の棚用部材９０１を容器のコーナーに配設してもよい。
【００７４】
さらに、線状の棚用部材９０２としては、図５５に示すように収納物６５の形状に対応してリング状に形成されていてもよい。なお、図５５（ａ）は収納物６５が載っていない状態を示す平面図及び断面図であり、図５５（ｂ）は収納物６５が載っている状態を示す断面図である。
また、図５６のように容器本体の内壁面に上下方向に延びる溝条部９０５を設ければ、収納物６５が案内されて容易にリング状の線状の棚用部材９０２に載ることがきる。さらに溝条部９０５が形成された場合はリング状に限らず、図５７のように、一本のレール状の棚用部材９０３を設けるだけで、棚部が構成される。なお、図５７（ａ）は収納物６５が載っていない状態を示す平面図であり、図５７（ｂ）は収納物６５が載っている状態を示す側面図である。
以上のように線状の棚用部材９０１、９０２、９０３によれば、ピクルスや梅漬け等の収納物を好適に載せることができると共に漬け液を好適に落下させることができる。従って、ピクルスや梅漬け等の収納物を取り出す際、液垂れを防止する上で効果的である。なお、線状の棚用部材としては、対象となる収納物が好適に載るものであれば、すのこ状、格子状、網目状等であってもよい。
【００７５】
また、図５８は以上に説明した線状の棚用部材９０１に棚用アタッチメント９０７を取り付ける状態を示す断面図である。線状の棚用部材９０１のみによっても棚部を構成できるが、本形態例のように着脱可能な棚用アタッチメント９０７を線状の棚用部材９０１に取り付けることで、所望の形態の棚部を得ることができる。この棚用アタッチメント９０７の形状は、以上に説明した棚部の形態等となるように適宜選択的に設計すればよい。なお、なお、図５８（ａ）は棚用アタッチメント９０７が装着されていない状態を示す側面図であり、図５８（ｂ）は棚用アタッチメント９０７が装着されている状態を示す平面図及び側面図である。また、図５９（ａ）は棚用アタッチメント９０７が線状の棚用部材９０１に装着される前の状態を示す斜視図であり、図５９（ｂ）は棚用アタッチメント９０７が線状の棚用部材９０１に装着された後の状態を示す斜視図である。この装着方法は、公知の技術を用いればよく、本形態例では圧入によって線状の棚用部材９０１へ棚用アタッチメント９０７が嵌る形状となっている。
【００７６】
以上、図４０〜５９に基づいて説明した食品容器によれば、使用者が所望する量の収納物６５（７６５）を棚部７３０の上に載せて好適に取り出すことができる。このとき、使用者は、食品容器７００を適宜振ること、反転すること或いは傾けることで収納物６５（７６５）を棚部７３０の上に簡単に載せることができる。これによれば、簡単な構造で、菓子などの通常の固形の食品、漬け液に漬かった食品或いは粉にまぶされた食品など簡単に取り出すことができる。
また、この食品容器７００は、図１に基づいて示した実施の形態とは違って常時は反転して置くことを要しない。このため、水密性を要求される場合であっても、蓋７５０をシールする水密度は、反転されて置かれる容器に比べて低くても良い。従って、そのような場合は製造コストを低減できる。
【実施例１３】
【００７７】
図６０に示す実施例１３は、容器本体としての袋７７０に、重ね容器５２１をアタッチメント７７１で取り付ける形態の一例である。図６０は、重ね容器５２１と、その重ね容器５２１が袋７７０に取り付けられた状態を示す断面図である。
このように容器本体は柔軟性のある袋状でもよく、取り付け方法として適宜なアタッチメントなどで連結されれば、図３３〜図３８で示した重ね容器５２１を用いる場合と同様の効果を得ることができる。
【実施例１４】
【００７８】
図６１に示す実施例１４は、以上に説明した仕切部材或いは棚部に代えて掬い部材７８０を内蔵する形態の一例である。図６１は、蓋と、掬い部材７８０が内蔵された食品容器示す断面図である。
掬い部材７８０は、漬け液中の食品（収納物６５）のみを好適に掬うことができるように、回動可能に一端が軸着された状態に設けられている。また、漬け液が通過できるように、適宜に孔が開いた状態となっている。掬い部材７８０の回動は、外部に設けられたレバー(図示せず)を用いて動作させるようにしてもよい。
この掬い部材７８０は、図６１に示すように上方へ回動された状態で、前述した仕切部材或いは棚部と同等の効果を奏する。また、収納物６５を掬い上げることができるので、収納物６５を掬い部材７８０上に載せて好適に上方位置へ移動させることができる。
【実施例１５】
【００７９】
次に、図６２に基づいて、本発明かかる食品容器の使用方法について説明する。
図６２（ａ）は、容器本体を通常の状態に立て、蓋を開けた状態を示している。次に、図６２（ｂ）は、蓋を閉じて食器容器全体を振って、収納物である具材を仕切部材の上へ載せた状態を示している。また、図６２（ｃ）は、必要量の具材を仕切部材の上に残して液体等を切っている状態を示している。そして、図６２（ｄ）は、蓋を開けて具材を取り出している状態を示している。これによれば、簡単な操作で所要の具材を好適に取り出すことができる。
【実施例１６】
【００８０】
次に、図６３に基づいて、本発明かかる食品容器の使用方法について説明する。実施例１６の食品容器は実施例１５と比較して蓋が側部にある点で相違するが、使用方法はほぼ同一である。
図６２（ａ）は、容器本体を通常の状態に立て、蓋を閉じた状態を示している。次に、図６２（ｂ）は、食器容器全体を傾けて収納物である具材を仕切部材の蓋側へ移動するようにした状態を示している。また、図６２（ｃ）は、必要量の具材を仕切部材の上に残して液体等を切っている状態を示している。そして、図６２（ｄ）は、蓋を開けて具材を取り出している状態を示している。これによれば、簡単な操作で所要の具材を好適に取り出すことができる。
【００８１】
以上、本発明につき好適な実施の形態例を挙げて種々説明してきたが、本発明はこの実施の形態例に限定されるものではなく、発明の精神を逸脱しない範囲内で多くの改変を施し得るのは勿論のことである。
【産業上の利用可能性】
【００８２】
本発明にかかる容器は食品用に限らず、他の用途にも利用できる。例えば、工業製品等を洗浄又はコーティングするための工業用の容器として使用できる。
【図面の簡単な説明】
【００８３】
【図１】本発明にかかる食品容器の一形態を示す断面図である。
【図２】図１の食品容器について蓋をした後に反転した状態を示す断面図である。
【図３】再度反転させて蓋を外した状態を示す断面図である。
【図４】仕切部材を引き上げて食品を取り出した状態を示す断面図である。
【図５】仕切部材に開口部分が設けられた食品容器の一形態を示す断面図である。
【図６】図５に示した仕切部材の平面図である。
【図７】図５の食品容器の使用状態を示す断面図である。
【図８】仕切部材に開閉部材が設けられた食品容器の一形態を示す断面図である。
【図９】開閉部材を開いて食品を仕切部材の上に載せる動作を示す断面図である。
【図１０】漬け液を切って蓋を外した状態を示す断面図である。
【図１１】仕切部材を引き上げて食品を取り出した状態を示す断面図である。
【図１２】仕切部材の開閉部材が閉じた状態を示す平面図及び断面図である。
【図１３】仕切部材の開閉部材が開いた状態を示す平面図及び断面図である。
【図１４】開閉部材が開口部分を閉じた状態を示す断面図である。
【図１５】開閉部材が回転して開口部分が開いた状態の断面図である。
【図１６】本発明にかかる食品容器の他の形態を示す斜視図である。
【図１７】図１６の食器容器の断面図である。
【図１８】食品容器について蓋をした後に反転して置いた状態を示す断面図である。
【図１９】再度反転させて蓋を外した状態を示す断面図である。
【図２０】仕切部材を引き上げて食品を取り出した状態を示す断面図である。
【図２１】本発明にかかる食品容器の他の形態を示す断面図である。
【図２２】食品容器について蓋をした後に反転して置いた状態を示す断面図である。
【図２３】再度反転させて蓋を外した状態を示す断面図である。
【図２４】蛇腹構造の有底容器を引き上げて食品を取り出した状態の断面図である。
【図２５】仕切部材を容器本体に固定する容器の一形態を示す断面図である。
【図２６】仕切部材を容器本体に固定する容器の他の形態を示す断面図である。
【図２７】仕切部材を容器本体の中途部に位置させる一形態を示す断面図である。
【図２８】仕切部材を引き上げて食品を取り出した状態を示す断面図である。
【図２９】本発明にかかる食品容器の一形態を示す断面図及び平面図である。
【図３０】第４実施例を示す断面図および平面図である。
【図３１】第５実施例を示す断面図および平面図である。
【図３２】第６実施例を示す断面図である。
【図３３】本発明にかかる重ね容器の一形態を説明する断面図である。
【図３４】第７実施例を示す断面図である。
【図３５】第８実施例を示す断面図である。
【図３６】第９実施例を示す断面図である。
【図３７】第１０実施例を示す断面図である。
【図３８】第１１実施例を示す断面図および平面図である。
【図３９】第１２実施例を示す断面図および平面図である。
【図４０】本発明にかかる食品容器の一形態を示す断面図である。
【図４１】図４０の棚部の固定状態を説明する断面図である。
【図４２】図４０の食品容器の外観を平面図及び側面図である。
【図４３】本発明にかかる棚部の一形態を示す平面図である。
【図４４】本発明にかかる棚部の他の形態を示す平面図である。
【図４５】本発明にかかる棚部の他の形態を示す平面図である。
【図４６】本発明にかかる棚部の一形態を示す斜視図である。
【図４７】図４６の棚部の断面図である。
【図４８】本発明にかかる棚部の一形態を示す斜視図である。
【図４９】図４８の棚部の使用状態を示す斜視図である。
【図５０】本発明にかかる棚部の一形態の使用状態を示す斜視図である。
【図５１】本発明にかかる食品容器の一形態を示す断面図である。
【図５２】本発明にかかる棚部の他の形態を示す断面図である。
【図５３】本発明にかかる棚部の他の形態を示す断面図である。
【図５４】本発明にかかる棚部の他の形態を示す平面図である。
【図５５】本発明にかかる食品容器の他の形態を示す平面図及び断面図である。
【図５６】本発明にかかる棚部の他の形態を示す平面図である。
【図５７】本発明にかかる棚部の他の形態を示す平面図及び側面図である。
【図５８】本発明にかかる食品容器の他の形態を示す側面図及び平面図である。
【図５９】図５８の棚部アタッチメントの装着状態を示す斜視図である。
【図６０】第１３実施例を示す断面図である。
【図６１】第１４実施例を示す断面図である。
【図６２】本発明にかかる食品容器の使用方法を説明する断面図である。
【図６３】本発明にかかる食品容器の使用方法を説明する断面図である。
【符号の説明】
【００８４】
１０  食品容器
１１  食品容器
１２  食品容器
１３  食品容器
１６  漬け液
１８  食品
１９  食品
２０  容器本体
２３  内底面
２４  内側面
２５  蓋
２６  内面
３０  仕切部材
３０ａ  仕切部材
３０ｂ  仕切部材
３１  仕切板部
３２  小孔
３３  貫通孔
５０  支持手段
５１  棒状部材
５２  支持棒部
５３  把持棒部
５５  係止部
６５  固形状部
７０  開口部分
７１  開閉部材
７２  開閉部材
８０  漬物用おもり
８５  貫通孔
８６  貫通孔
９０  蛇腹構造の有底容器
９１  蛇腹部
９２  底部
５００  食器容器
５０１  容器
５１０  容器本体
５１１  開口
５１５  下側本体
５２０  上側本体
５２１  重ね容器
５２２  重ね本体
５２３  連結部
５２４  開口
５３０  仕切部
５３５  開口部分
５４０  開閉部材
５５０  蓋
７００  食器容器
７１０  容器本体
７１１  開口
７３０  棚部
７３２  貫通孔
７３３  溝
７５０  蓋
９０１  線状の棚用部材
９０２  線状の棚用部材
【図１】
2006199372.tif 000003
【図２】
2006199372.tif 000004
【図３】
2006199372.tif 000005
【図４】
2006199372.tif 000006
【図５】
2006199372.tif 000007
【図６】
2006199372.tif 000008
【図７】
2006199372.tif 000009
【図８】
2006199372.tif 000010
【図９】
2006199372.tif 000011
【図１０】
2006199372.tif 000012
【図１１】
2006199372.tif 000013
【図１２】
2006199372.tif 000014
【図１３】
2006199372.tif 000015
【図１４】
2006199372.tif 000016
【図１５】
2006199372.tif 000017
【図１６】
2006199372.tif 000018
【図１７】
2006199372.tif 000019
【図１８】
2006199372.tif 000020
【図１９】
2006199372.tif 000021
【図２０】
2006199372.tif 000022
【図２１】
2006199372.tif 000023
【図２２】
2006199372.tif 000024
【図２３】
2006199372.tif 000025
【図２４】
2006199372.tif 000026
【図２５】
2006199372.tif 000027
【図２６】
2006199372.tif 000028
【図２７】
2006199372.tif 000029
【図２８】
2006199372.tif 000030
【図２９】
2006199372.tif 000031
【図３０】
2006199372.tif 000032
【図３１】
2006199372.tif 000033
【図３２】
2006199372.tif 000034
【図３３】
2006199372.tif 000035
【図３４】
2006199372.tif 000036
【図３５】
2006199372.tif 000037
【図３６】
2006199372.tif 000038
【図３７】
2006199372.tif 000039
【図３８】
2006199372.tif 000040
【図３９】
2006199372.tif 000041
【図４０】
2006199372.tif 000042
【図４１】
2006199372.tif 000043
【図４２】
2006199372.tif 000044
【図４３】
2006199372.tif 000045
【図４４】
2006199372.tif 000046
【図４５】
2006199372.tif 000047
【図４６】
2006199372.tif 000048
【図４７】
2006199372.tif 000049
【図４８】
2006199372.tif 000050
【図４９】
2006199372.tif 000051
【図５０】
2006199372.tif 000052
【図５１】
2006199372.tif 000053
【図５２】
2006199372.tif 000054
【図５３】
2006199372.tif 000055
【図５４】
2006199372.tif 000056
【図５５】
2006199372.tif 000057
【図５６】
2006199372.tif 000058
【図５７】
2006199372.tif 000059
【図５８】
2006199372.tif 000060
【図５９】
2006199372.tif 000061
【図６０】
2006199372.tif 000062
【図６１】
2006199372.tif 000063
【図６２】
2006199372.tif 000064
【図６３】
2006199372.tif 000065